(57)【要約】【課題】  シート搬送路の分岐機構について、その機構・構造を簡単にし、かつ、切り替え作動時の動作音が可及的に抑制されるように、その機構・構造を工夫すること。【解決手段】  シート搬送路の分岐機構について、分岐爪と分岐後の搬送ローラ駆動部とを動力伝達機構により連結し、上記動力伝達機構の一部にトルクリミッタを設け、上記搬送ローラの回転方向の選択により、分岐爪の方向を切替えるシート分岐機構。【選択図】図１
2008230748.tif 000002
【特許請求の範囲】
【請求項１】
シート搬送路の分岐機構であって、
分岐爪と分岐後の搬送ローラ駆動部とを動力伝達機構により連結し、当該動力伝達機構の一部にトルクリミッタを設けてあり、上記搬送ローラの回転方向の選択により、分岐爪の方向を切替えることを特徴とするシート分岐機構。
【請求項２】
分岐爪の回転量規制弾性部材を設けてあり、当該回転量規制弾性部材により分岐爪停止位置で分岐爪が停止することを特徴とする請求項１のシート分岐機構。
【請求項３】
シート搬送路の分岐機構であって、
可動ガイド板と分岐後の搬送ローラ駆動部とを動力伝達機構により連結し、当該動力伝達機構の一部にトルクリミッタを設けてあり、上記搬送ローラの回転方向の選択により、上記可動ガイド板の方向が切替えられることを特徴とするシート分岐機構。
【請求項４】
可動ガイド板の回転量規制弾性部材を配置してあり、当該回転量規制弾性部材に可動ガイド板が当接してその位置に停止することを特徴とする請求項３のシート分岐機構。
【請求項５】
シート搬送路の分岐機構であって、
搬送路内に２つ一対の繭型ガイドを９０度方向を変えて配置してあり、当該繭型ガイドの回転機構と分岐後の搬送ローラ駆動部とを動力伝達機構により連結し、当該動力伝達機構の一部にトルクリミッタを設け、上記搬送ローラの回転方向の選択により、分岐爪の方向が切替わることを特徴とするシート分岐機構。
【請求項６】
シート搬送路の分岐機構であって、
搬送路内に風を送るファンを当該搬送路の外側に配置してあり、前記ファンによる送風、吸引を選択的に行うことにより、２つの第２搬送路が択一的に選択されることを特徴とするシート分岐機構。
【請求項７】
シート搬送路の分岐機構であって、
搬送路に形状記憶合金による一対のガイドと当該ガイドを加熱するヒータが配置されており、上記ヒータで選択的に加熱して上記ガイドを変形させ、これによってシート搬送方向が規制されて、シートの２つの搬送路が択一的に選択されることを特徴とするシート分岐機構。
【請求項８】
シート搬送路の分岐機構であって、
搬送路内に風船を設け、当該搬送路の外側に当該風船を加熱するヒータを設けてあり、当該ヒータを選択的に加熱して上記風船を膨張させ、これによってシート搬送方向を規制して、これによって、２つの搬送路が択一的に選択されることを特徴とするシート分岐機構。
【請求項９】
シート搬送路の分岐機構であって、
搬送路の外側に高圧電極を設けてあり、当該高圧電極に選択的に電圧が印加されて、静電吸引力あるいは反発力が発生し、これによって、シート搬送方向が規制され、シートの２つの搬送路が択一的に選択されることを特徴とするシート分岐機構。
【請求項１０】
搬送分岐直前においてシート搬送ガイド部が、その後端に内側に曲がったガイド曲部を有し、シート先端が上記ガイド曲部に沿って移動することにより、シートの２つの搬送路が択一的に選択されることを特徴とする請求５乃至請求項９のシート分岐機構。
【発明の詳細な説明】
【技術分野】
【０００１】
この発明は、シートを搬送する搬送路の分岐機構に関し、より具体的には、分岐機構の簡易化、分岐手段の動作音の発生の防止を実現する分岐機構に関する。
【背景技術】
【０００２】
コピー機等のシート搬送路の分岐機構（シート分岐機構）については、次の文献に記載されている従来技術がある。
（１）特開平６−２３６０８６号公報（特許文献１）
特許文献１には、シート反転装置における正逆転ローラによるシートの前進・後退の切り替わりを利用して、切り替えゲートでコピー紙が分岐される分岐機構について、上記正逆転ローラの駆動切替えをクラッチの係脱で行うようにして、正逆転ローラの駆動方向を切り替える切り替え機構を簡単にすることが開示されている。特許文献１は、分岐爪専用の駆動モータを必要とせず、また、分岐爪の操作回路を必要としない構成を開示するが、搬送路の分岐操作の上記切り替えにクラッチを利用し、かつ、クラッチの駆動回路も必要となるため、分岐機構の構造を必ずしも簡単にすることはできなかった。
【０００３】
また、特許文献１は、上記クラッチの係脱に伴う衝突音などの不快音の発生が避けられないという問題点がある。特に、コンパクトで操作性に優れる、ソレノイドとバネの組み合わせによる電磁クラッチは、ソレノイドの鉄芯が衝突する時に衝撃音が発生し、この衝撃が心理的に不快感を与えることになる。
【０００４】
（２）特開２００１−６３８９４号公報（特許文献２）  
特許文献２には、コピー紙搬送路でシートを分岐させる際に、モータの回転で分離ガイド板を動かして行い、動力伝達機構の一部にグリス等の高粘性液体のダンパ部材を設けることにより、切替え時の騒音を抑制することが開示されている。しかしながら、特許文献２では、分離ガイド板を駆動させるためのモータと駆動回路が必要となるので、構造は簡単にならない。
【０００５】
（３）特開２００５−３４３６２０号公報（特許文献３）
特許文献３には、コピー紙搬送路を２方向に分岐させる際に、ステッピングモータにより分岐爪を左右に回動させて分岐する構成が開示されている。また、コピー紙搬送路を分岐させる際に、分岐爪の先端を弾性変形部材に当てることにより、分岐爪を所定位置に停止させ、切替え動作を正確に行うとともに、ガイド板に衝突する時の騒音を防止することが開示されている。しかしながら、特許文献３は分岐爪を駆動させるためにステッピングモータを用いているので、構造が簡単にならない。
コピー機などのシート搬送路の分岐機構は、その機構設計上の自由度を増すために、機構、構造を可及的に単純、簡単にすることが求められる。しかし、上述した従来技術に開示されている技術は、シート搬送路の分岐機構が複雑であり、また、動作音の抑制が十分でないという問題ががあった。
【特許文献１】特開平６−２３６０８６号公報
【特許文献２】特開２００１−６３８９４号公報
【特許文献３】特開２００５−３４３６２０号公報
【発明の開示】
【発明が解決しようとする課題】
【０００６】
そこで、本発明では上述の問題点を解決し、
シート搬送路の分岐機構について、その機構・構造が簡単であり、かつ、切り替え作動時の動作音を抑制することができる分岐機構を提供することを目的とする。
【課題を解決するための手段】
【０００７】
〔解決手段１〕（請求項１）
解決手段１は、シート搬送路の分岐機構について、次の（イ）〜（ニ）によるものである。
（イ）分岐爪と分岐後の搬送ローラ駆動部とを動力伝達機構により連結し、
（ロ）上記動力伝達機構の一部にトルクリミッタを設け、
（ハ）上記搬送ローラの回転方向の選択により、分岐爪の方向を切替える
（ニ）シート分岐機構。
さらに、解決手段１について次の（ホ）によるものである（請求項２）。
（ホ）分岐爪の回転量規制弾性部材を設け、当該回転量規制弾性部材により分岐爪停止位置に分岐爪を停止させること。
【０００８】
なお、上記（イ）は、分岐爪と分岐後の搬送ローラ駆動部とを動力伝達機構により連結してあって、分岐爪が上記動力伝達機構を介して、搬送路ローラ駆動部の回転力により回転操作されるように機構的になっていることを意味する。
また、上記（イ）における「分岐後」は、搬送路の分岐点よりも搬送方向直後を意味する。
また、上記（ロ）における「トルクリミッタ」は、分岐爪に対する回転駆動トルクが制限されて、分岐爪に対する駆動トルクを一定以下に制限する摩擦式伝動手段（スリップカップリング）である。
さらに、（ハ）における「分岐爪の方向を切り替える」は、分岐爪によってシートの搬送方向を切り替えることである。
さらに、上記（ホ）における「回転量規制弾性部材」は、分岐爪の回転範囲を規制する弾性ストッパであり、分岐爪を弾性的に受け止めて所定位置に停止させる手段である。
【０００９】
〔解決手段２〕（請求項３）
解決手段２は、 シート搬送搬送路の分岐機構であって、次の（イ）〜（ニ）によるものである。
（イ）可動ガイド板と分岐後の搬送ローラ駆動部とを動力伝達機構により連結し、
（ロ）上記動力伝達機構の一部にトルクリミッタを設け、
（ハ）上記搬送ローラの回転方向の選択により、可動ガイド板の方向を切替える
（ニ）シート分岐機構。
【００１０】
さらに、上記解決手段２について、次の（ホ）（ヘ）によるものである（請求項４）。
（ホ）可動ガイド板の回転量規制弾性部材を設け、
（ヘ）上記回転量規制弾性部材に可動ガイド板が当接してその位置に停止すること。
【００１１】
〔解決手段３〕（請求項５）
解決手段３は、シート搬送路の分岐機構について、次の（イ）〜（ホ）によるものである。
（イ）搬送路内に２つ一対の繭型ガイドを９０度方向を変えて配置し、
（ロ）上記繭型ガイドの回転機構と分岐後の搬送ローラ駆動部とを動力伝達機構により連結し、
（ハ）上記動力伝達機構の一部にトルクリミッタを設け、
（ニ）上記搬送ローラの回転方向の選択により、分岐爪の方向が切替わる
（ホ）シート分岐機構。
なお、上記（イ）における「９０度方向を変えて配置し」は、一対の繭型ローラが、その回転位相が９０度ずれた状態で組み合わされていることである。
【００１２】
〔解決手段４〕（請求項６）
解決手段４は、シート搬送路の分岐機構について、次の（イ）〜（ニ）によるものである。
（イ）搬送路内に風を送るファンを当該搬送路の外側に設け、
（ロ）上記ファンによる送風、吸引を選択的に行うことにより、
（ハ）２つの第２搬送路が択一的に選択される
（ニ）シート分岐機構。
なお、上記（ロ）における「ファンによる送風、吸引」は、ファンによって、送風路内を横切る方向に流れる空気流が生じ、その空気流がファンの送風作用による空気流と、これと反対方向の吸引作用による空気流があり、この二つの空気流を選択的に作用させることである。
【００１３】
〔解決手段５〕（請求項７）
解決手段５は、シート搬送路の分岐機構について、次の（イ）〜（ニ）によるものである。
（イ）搬送路に形状記憶合金による一対のガイドと当該ガイドを加熱する一対のヒータを設け、
（ロ）上記ヒータで選択的に加熱して上記ガイドを選択的に変形させて、これによってシート搬送方向を規制することにより、
（ハ）２つの搬送路が択一的に選択される
（ニ）シート分岐機構。
なお、上記（イ）における「ガイド」は、舌片状のものが代表的であるが、必ずしも特定の形状であることは必要でなく、要するにその変形状態においてのみシートの搬送方向を所定方向に強制する機能があることが必要である。
【００１４】
〔解決手段６〕（請求項８）
解決手段８は、シート搬送路の分岐機構について、次の（イ）〜（ニ）によるものである。
（イ）搬送路内に対向する一対の風船を設け、搬送路外側に当該風船を加熱するヒータを設け、
（ロ）上記ヒータを選択的に加熱して風船を択一的に膨張させ、
（ハ）当該風船によってシート搬送方向を規制することにより、２つの搬送路が択一的に選択される
（ニ）シート分岐機構。
なお、上記（イ）における「風船」は、風船又は風船状のものであり、内包する気体の熱膨張によって、拡張されるものであるが、膨張、収縮の応答性が高い必要がある。
【００１５】
〔解決手段７〕（請求項９）
解決手段７は、シート搬送路の分岐機構について、次の（イ）〜（ニ）によるものである。
（イ）搬送路に高圧電極を配し、
（ロ）上記高圧電極に選択的に電圧を印加し、静電吸引力あるいは反発力を発生させて、
（ハ）上記吸引力あるいは反発力によってシート搬送方向を規制することにより、２つの搬送路が択一的に選択される
（ニ）シート分岐機構。
【００１６】
〔解決手段８〕（請求項１０）
解決手段８は、上記解決手段３乃至解決手段７のシート分岐機構についての付加的手段であって、次の（イ）（ロ）によるものである。
（イ）搬送分岐直前においてシート搬送ガイドが、その後端に内側に曲がったガイド曲部を有し、
（ロ）シート先端が上記ガイド曲部に沿って移動することにより、２つの搬送路が択一的に選択されるようになっていること。
【発明の効果】
【００１７】
各請求項の発明の効果は、次のとおりである。
(1)請求項１の発明の効果
モータやソレノイドなどのシート分岐のための分岐爪の駆動機構や専用の駆動回路が不要であるので、構成が簡単であり、また、分岐後の搬送ローラ駆動部で分岐爪をトルクリミッタを介して駆動するので、分岐爪の駆動機構の動作騒音は発生しない。
【００１８】
（２）請求項２の発明の効果
ストッパに弾性部材を用いることにより、分岐爪がソフトに当るので、衝撃的で不快と感じる騒音は発生しない。
【００１９】
（３）請求項３の発明の効果
モータやソレノイドなどのシート分岐のための可動ガイド板の駆動機構や専用の駆動回路がないので、構成が簡単であり、駆動機構の動作騒音が発生しない。
【００２０】
（４）請求項４の効果
ストッパに弾性部材を用いることにより、可動ガイド板がソフトに当るので、衝撃的な騒音はない。
【００２１】
（５）請求項５の発明の効果
モータやソレノイドなどのシート分岐のための分岐爪や可動ガイド板の駆動機構や専用の駆動回路がないので、構成が簡単であり、駆動機構の動作騒音は発生しない。
【００２２】
（６）請求項６の効果
モータやソレノイドなどの分離爪や可動ガイド板の駆動機構よりも、小形のファンを１つ置くだけでシートを分岐できるので、構成が簡単であり、駆動機構の動作騒音が低く抑えられる。また、機構部での衝突は発生しないので、衝撃的な騒音はない。
【００２３】
（７）請求項７の発明の効果
モータやソレノイドなどの分岐爪や可動ガイド板の駆動機構よりも、形状記憶合金による一対のガイドとヒータを置くだけでシートを分岐できるので、構成が簡単であり、駆動機構の動作騒音は無い。また、機構部での衝突は生じないので、衝撃的な騒音はない。
【００２４】
（８）請求項８の発明の効果
モータやソレノイドなどの分離爪や可動ガイド板の駆動機構よりも、１対の風船とヒータを配置するだけでシートを分岐できるので、構成が簡単であり、駆動機構の動作騒音が無くなる。また、機構部で衝突が発生しないので、衝撃的で不快と感じる騒音は発生しない。
【００２５】
（９）請求項９の発明の効果
モータやソレノイドなどの分離爪や可動ガイド板の駆動機構よりも、１対の電極を置くだけでシートを分岐できるので、構成が簡単であり、駆動機構の動作騒音はない。
また、機構部での衝突はないので、衝撃的な騒音はない。
【００２６】
（１０）請求項１０の発明の効果
紙先端がガイド曲部に沿って導かれるので、より正確な分岐をさせることができる。
【発明を実施するための最良の形態】
【００２７】
以下、本発明の実施例として、複写機の紙搬送路におけるシート分岐機構に適用した例を説明する。なお、以下に示す本発明の実施例においてはコピー紙を例として説明するが、本発明は、コピー紙のみならず、紙、腰の強い布、プラスチックシート、金属シートなどの各種シート（シート状記録媒体）を搬送する搬送路における分岐機構（シート分岐機構）に適用することが可能である。また、本発明のシート分岐機構は、例えば、複写機（コピー機）、プリンタ、シート製造機、郵便等のスタンプ機・分配機等に適用可能である。
【実施例１】
【００２８】
実施例１は解決手段１の具体例である。そして、その全体構成が図１（ａ）（ｂ）に示されている。
コピー紙ｐ（例えば図５参照）は、搬送ローラ１により図面（図１（ａ））下方より上方に搬送される。搬送路１０内を搬送されたコピー紙ｐは、分岐爪２の位置によりＡ方向あるいはＢ方向に分岐して搬送される。Ｂ方向搬送路には、第２搬送ローラ３が配置されている。第２搬送ローラ３は、時計回り、半時計回りの両方向に回転可能な駆動モータｍにより駆動される。第２搬送ローラ３に対向して従動ローラ１３が配置され、第２搬送ローラ３に圧力を付勢することにより、従動ローラ１３は第２搬送ローラ３の回転に連れ回りし、コピー紙ｐを第２搬送ローラ３と従動ローラ１３で挟んで搬送する構成となっている。また、第２搬送ローラ３の駆動モータｍによる駆動ギア、すなわち、第２搬送ローラ３のＡギア４と、分岐爪２のＢギア５とが噛み合っていて、駆動モータｍによって分岐爪２が駆動されるので、第２搬送ローラ３を逆転させると、Ａギア４は断面図の時計方向に回転し、Ｂギア５は反時計方向に回転する。そうすると、分岐爪２はトルクリミッタｔを介してＢギア５によって反時計方向に駆動され、これによって、Ａ方向搬送路１０ａが開かれてＡストッパ６ａに当たる。分岐爪２がＡストッパ６ａに当たると、トルクリミッタｔがスリップするので、分岐爪２はそれ以上回転しないで、トルクリミッタのバネの圧力によって、Ａストッパ６ａに当たった位置を保つ。コピー紙ｐをＢ方向に案内する場合には、第２搬送ローラ３を反時計方向に回転させる。分岐爪２は時計方向に回転して図示の左方に移動し、Ｂ方向搬送路１０ｂが開かれ、コピー紙ｐは第２搬送ローラ３によりＢ方向に送られる。
上述のトルクリミッタｔの構成について詳しく説明する。トルクリミッタｔは、対向する摩擦回転板ｔ１，ｔ２と２つの摩擦回転板ｔ１，ｔ２に圧力を付勢するバネｔ３とから構成される。分岐爪２の回転軸である分岐爪回転軸１２の回転負荷が小さい場合には、２つの摩擦回転板ｔ１，ｔ２がバネｔ３の圧力（静摩擦力）により一体となって動き、Ｂギア５の回転により分岐爪回転軸１２は同方向、同回転速度で回転する。分岐爪２がストッパ６ａ，６ｂに当たると、分岐爪回転軸１２に大きな負荷がかかる。この負荷が２つの摩擦回転板の間の静摩擦力を超えると、２つの摩擦回転板にはすべりが生じてＢギア５軸側の摩擦回転板はから回りし、分岐爪２側の摩擦回転板は静止する。これにより、分岐爪回転軸１２に取り付けられた分岐爪２はそれ以上回転しないで、Ａストッパ６ａに当たった位置を保つことができる。
この実施例のトルクリミッタｔはスリップクラッチを用いているが、磁石方式、静電方式等のリミッタを使用することも可能である。
【００２９】
次に、分岐爪回転軸１２の配置位置、分岐爪２の構成及び動作について説明する。分岐爪回転軸１２は、２つのＡ，Ｂ方向搬送路のガイド板に囲まれた位置に、かつ、コピー紙ｐ（例えば図５参照）の搬送の邪魔にならないよう、搬送路１０の外側に配置されるのが良い。また、分岐爪２は三角柱の形をしており、鋭角を挟む２面が紙の搬送を規制するガイドとなるように構成されている。分岐爪２が右のストッパ６ａで止まっている場合は、断面図の左面はＡ方向搬送路内に位置し、Ｂ方向搬送路の入口を塞ぐような位置に設定され、コピー紙ｐをＡ方向搬送路に誘導する。また、左のＢストッパ６ｂで止まっている場合は、断面図の左面はＢ方向搬送路内に位置し、Ａ方向搬送路の入口を塞ぐような位置に設定され、コピー紙ｐをＢ方向搬送路に誘導する。２つのストッパ６ａ，６ｂは、紙の搬送の妨げとならないように、紙搬送路外に配置する。
【００３０】
図２に搬送ローラ１と第２搬送ローラ３の駆動タイミングチャートを示す。
Ａ方向搬送路１０ａにコピー紙ｐを送るときには搬送ローラ１を回転させる直前に第２搬送ローラ３を時計方向に回転させる。なお、シーケンス上前回の動作ですでにＡ方向搬送路１０ａが開かれている場合は、第２搬送ローラ３を回転させる必要はない。
他方、Ｂ方向搬送路１０ｂにコピー紙ｐを送る場合は、コピー紙ｐが搬送ローラ１により送られて、分岐爪２にその先端が到達するまでに分岐爪２の移動が終了しているように、第２搬送ローラ３を反時計方向に回転させておく。そして、分岐爪２の移動後も回転を続ければ、分岐爪２によってＢ方向搬送路１０ｂに案内されたコピー紙ｐは、第２搬送ローラ３により、Ｂ方向搬送路１０ｂ内を搬送されていく。
【００３１】
前記分岐爪２のストッパ６ａ，６ｂはゴム、軟質プラスチック等の粘弾性部材で構成されており、分岐爪２がこのストッパに衝突しても、ストッパがその衝撃を吸収するため衝撃による騒音は発生しない。また、コピー紙ｐの搬送方向がＡ方向搬送路１０ａ、Ｂ方向搬送路１０ｂのいずれかに切り替わるだけなので、分岐爪２の停止位置を正確に設定する必要はない。  
なお、ストッパ６ａ，６ｂの位置については、分岐爪２の回転軸上に設けた構成にすることもできる。例えば、分岐爪回転軸１２’を固定軸とし、当該固定軸にストッパ６ａ’、６ｂ’を突設し、他方、分岐爪２をＢギア５とともに回転可能に支承させて、その一部を突起させた突起部１４が上記ストッパに当たるよう構成することにより、分岐爪２が所定位置で停止するようにした構成とすることができる（以上、図１０参照）。
この実施の形態によれば、コピー紙ｐを搬送するために設置されている第２搬送ローラ３を駆動させるモータｍを、コピー紙ｐの搬送と分岐爪２の回転とに共用することができるため、分岐爪２を回転させるために別個の駆動モータ及び駆動部を設ける必要がなくなるため、シート分岐機構の構成を簡単にすることができる。また、分岐爪２のストッパに、ゴム、軟質プラスチック等の粘弾性部材を利用することで、分岐爪の衝突によって発生する騒音を抑制することができ、分岐機構の動作騒音が抑制される。
【実施例２】
【００３２】
実施例２は図３に示されているものであり、解決手段２の具体例であり、実施例１における分岐爪に代えて可動ガイドを採用した形態である。
コピー紙先端が搬送ローラ１を通過したときそのコピー紙ｐを可動ガイド３２により選択的にＡ方向搬送路１０ａまたは、Ｂ方向搬送路１０ｂに案内するようにしたものである。実施例２は図３に示された細長い四角形の中空体であり、コピー紙ｐが通過するようになっており（図４参照）、その支軸３２ｓの回転によって、ストッパ６ａ，６ｂの間で回動してその方向が切り替えられる。可動ガイド３２の支軸３２ｓにはトルクリミッタが設けられており（図示略）、実施例１の分岐爪２と同様に動作するが、第２搬送ローラ３と可動ガイド３２の支軸３２ｓとの軸間距離が長いので、第２搬送ローラ３と可動ガイド３２との間の伝動機構には、ギアによる伝動機構ではなく、プーリ３３ａ，３３ｂとベルト３４によるベルト伝動機構を採用している。
【実施例３】
【００３３】
実施例３は、図５に示されているものであり、解決手段３（請求項５）の具体例である。
コピー紙ｐを案内するガイド部５０の直後に繭型ガイド５２による分岐手段が設けられており、この分岐手段は、支軸を中心として９０度回転可能な一対の繭型ガイド５２によるものであり、一対の繭型ガイド５２，５２は互いに大きな隙間を介して組み合わされ、回転角度（回転位相）を９０度ずらして配置されている。そして、各繭型ガイド５２の回転軸にＡギア４、Ｂギア５をそれぞれ設けており、Ａギア４，Ｂギア５が中間Ｃギア５ｉを介して噛み合わされ、中間Ｃギア５ｉの軸上にトルクリミッタｔを設け（図示略）、当該トルクリミッタｔと第２搬送ローラ３とをギア、ベルト等の動力伝達機構で連動させている。
【００３４】
この実施例３を実施例１と同様に動作させれば、第２搬送ローラの回転方向により、一対の繭型ガイド５２，５２は、図５（ａ）又は（ｂ）の２つの状態のいずれかに選択的に切り替えられる。２つの繭型ガイド５２，５２の隙間をコピー紙ｐが通ることにより、コピー紙ｐの進行方向がＡ方向搬送路１０ａ又はＢ方向搬送路１０ｂ（図１参照）のいずれかに案内される。
【実施例４】
【００３５】
この実施例４は、図６（ａ）（ｂ）に示されているものであり、ファン６２による空気流の風圧でコピー紙の先端を左右いずれかの方向に指向させ、コピー紙ｐをＡ方向搬送路１０ａ、Ｂ方向搬送路１０ｂのいずれかに選択的に案内するもので、その空気流の方向の制御をファンの回転方向の切換で行っているものである。
搬送ローラ１の直後に小さなファン６２が配置されており、このファン６２による空気流がガイド部１０ｇの開口部６３から搬送路１０に吹き込まれ、あるいは吸引されて左右いずれかの方向に選択的に流れる。コピー紙ｐの先端が搬送ローラ１を通過すると、その直後に、コピー紙ｐの先端に空気流が当るようになっている。コピー紙ｐの先端が搬送ローラ１を通過すると、上記ファンが正回転して図の左方向に送風する。そうすると、コピー紙ｐがその風圧によって左方に寄せられ（図６（ａ）における点線）、Ａ方向搬送路１０ａへ案内される。
他方、上記ファン６２が逆回転すると、その吸引作用で右方向への空気流が搬送路１０内に生じ、その風圧でコピー紙ｐの先端が右方に寄せられ（図６（ａ）実線）、コピー紙はＢ方向搬送路１０ｂへ案内される。
【００３６】
〔実施例４の変形例〕
また、 図６（ｂ）に示されている例は、上記ガイド部１０ｇの後端にＡガイド曲部１０ｇａ，Ｂガイド曲部１０ｇｂをそれぞれ内側を向けて設けている。この場合は、コピー紙の案内方向（振り分け方向）とファンによる送風方向が、図６（ａ）の場合とは反対になる。即ち、Ａ方向搬送路１０ａにコピー紙ｐを送りたい場合は、その先端がファン６２の位置にきた後、ファン６２を駆動する。そうすると、ファンで吸引された空気が反対方向（図６（ｂ）において右方向）に流れ、コピー紙ｐの先端がその風圧で右方向に寄せられ、その後、Ａガイド曲部１０ｇａに当ってコピー紙ｐの先端が左方向に転向され、Ａ方向搬送路１０ａへ案内される。また、ファン６２を逆方向に回転させ、コピー紙の方向（左方向）に送風させると、コピー紙の先端が左方に寄って、Ｂガイド曲部１０ｇｂに当る。その後、Ｂガイド曲部１０ｇｂに沿って右方に転向され、Ｂ方向搬送路１０ｂへ案内される。
【実施例５】
【００３７】
実施例５は、図７（ａ）に示すものであり、形状記憶合金による一対のＡ，Ｂガイド板７２ａ，７２ｂとＡ，Ｂヒータ７３ａ，７３ｂの組み合わせによる分岐手段７２の具体例である。
ガイド部１０ｇの先端部分の左右にＡガイド板７２ａ、Ｂガイド板７２ｂを設け、このＡ，Ｂガイド板を加熱するＡヒータ７３ａ，Ｂヒータ７３ｂをそれぞれ設けている。このＢガイド板７３ｂは形状記憶合金製で、内側に屈曲するように成形されている。
Ａガイド板７２ａのＡヒータ７３ａに通電してこれを加熱すると、Ａガイド板７３ａが左方向（ガイド部による通路の内側）に屈曲する（図７（ａ）の点線の状態）。コピー紙ｐの先端が搬送ローラ１を通過すると、その先端がＡガイド板７２ａで左方向に寄せられ、コピー紙ｐはＡ方向搬送路１０ａへ案内される。
【００３８】
Ａヒータ７３ａに対する通電が遮断されれば、Ａガイド板７２ａは復元（図７（ａ）の実線の状態に復元）して、ガイド部の外側に移動する。
他方、反対側のＢガイド板７２ｂのＢヒータ７３ｂに通電してこれを加熱すれば、Ｂガイド板７２ｂが右方に動き、コピー紙ｐの先端がＢガイド板７３ｂで右方に寄せられ、コピー紙ｐはＢ方向搬送路１０ｂへ案内される。
なお、この実施例では２枚のＡ，Ｂガイド板７２ａ，７２ｂで分岐手段を構成しているが、１対のＡ，Ｂガイド板を１つの構造体で構成し、加熱と放熱で一つのガイド板がコピー紙ｐの先端をその左右から押す構造にすれば、制御用の上記ヒータを一つにすることができる。形状記憶合金はニッケル・チタン合金や、胴・亜鉛・アルミ合金等が良く知られているものである。
【００３９】
〔実施例５の変形例〕
この変形例５は、図７（ｂ）に示されているものであり、図７（ａ）の実施例５のガイド部１０ｇの先端の左右に内側に曲がったＡ，Ｂガイド曲部１０ｇａ，１０ｇｂを設けたものである。
上記Ａ，Ｂガイド曲部１０ｇａ，１０ｇｂでコピー紙ｐの先端を安定的にＡ方向搬送路１０ａ又はＢ方向搬送路１０ｂへ指向させるようにしたものである。この変形例の場合は、Ａ，Ｂヒータ７３ａ，７３ｂの通電制御とコピー紙ｐの案内方向との関係が実施例５による場合とは、反対になる。
【実施例６】
【００４０】
実施例６は、風船でコピー紙の分岐手段を構成する具体例であり、図８（ａ）に示されているものである。
この実施例では、搬送ローラ１の直後においてガイド部１０ｇの左右内側にＡ風船８２ａ、Ｂ風船８２ｂを設け、また、左右外側にＡ，Ｂヒータ８３ａ，８３ｂを設けている。
上記ヒータに通電され、その風船が加熱されて膨張したとき、これがコピー紙先端に対するガイド作用を奏するので、左右のＡ，Ｂヒータ８３ａ，８３ｂに選択的に通電制御することにより、左右のＡ，Ｂ風船８２ａ，８２ｂのいずれかが膨張し、搬送ローラ１を通過した直後においてコピー紙ｐの先端が上記風船に当たって左右いずれかに寄せられ、Ａ方向搬送路１０ａ又はＢ方向搬送路１０ｂへ案内される。
【００４１】
〔実施例６の変形例〕
この変形例６は、図８（ｂ）に示されているものであり、図８（ａ）の実施例６のガイド部１０ｇの先端の左右に内側に曲がったＡ，Ｂガイド曲部１０ｇａ、１０ｇｂを設けたものである。
そして上記ガイド曲部でコピー紙ｐの先端を安定的にＡ方向搬送路１０ａ又はＢ方向搬送路１０ｂへ指向させるようにしたものである。この変形例の場合は、Ａ，Ｂヒータ８３ａ，８３ｂの通電制御とコピー紙ｐの案内方向との関係が実施例６による場合とは、反対になる。
なお、風船はゴム等の伸びる材料を用い、中に空気を入れてあって、加熱、放熱で膨張、収縮が速やかになされるものである。
【実施例７】
【００４２】
実施例７は、図９（ａ）に示されているものであり、電極に高電圧をかけてコピー紙の先端に正電圧を付加して、左右一方に寄せて、振り分けを行うものである。
この実施例では、搬送ローラ１の直後において、ガイド部１０ｇの先端部の左右外側に高電圧のＡ電極９２ａ、Ｂ電極９２ｂを配置している。
Ａ電極９２ａに数キロボルトの高電圧を付加すると、搬送ローラ１を通過したコピー紙ｐの先端は静電気を付加されて右方に寄せられる。Ａ電極９２ａがＯＦＦの状態で、Ｂ電極９２ｂに高電圧をかけると、コピー紙ｐは左に寄せられる。
以上のようにＡ，Ｂ電極９２ａ，９２ｂに選択的に電圧を印加することにより、コピー紙ｐをＡ方向搬送路１０ａ、Ｂ方向搬送路１０ｂへ選択的に案内することができる。
【００４３】
〔実施例７の変形例〕
この変形例は、図９（ｂ）に示されているものであり、図９（ａ）の実施例７のガイド部１０ｇの先端の左右に内側に曲がったＡガイド曲部１０ｇａ，Ｂガイド曲部１０ｇｂを設けたものである。
そして上記ガイド曲部でコピー紙ｐの先端を安定的にＡ方向搬送路１０ａ又はＢ方向搬送路１０ｂへ指向させるようにしたものである。この変形例の場合は、Ａ電極９２ａ，Ｂ電極９２ｂの通電制御とコピー紙の案内方向との関係が実施例７による場合とは、反対になる。
【図面の簡単な説明】
【００４４】
【図１】（ａ）は実施例１の断面図であり、（ｂ）は平面図である。
【図２】（ａ）（ｂ）は、実施例における搬送ローラと第２搬送ローラの駆動タイミングチャートである。
【図３】は、実施例２の断面図である。
【図４】は、実施例２の可動ガイドの斜視図である。
【図５】（ａ）は、実施例３の要部の断面図であって、一方への案内状態を示すものであり、（ｂ）は実施例３の要部の断面図であって、他方への案内状態を示すものである。
【図６】（ａ）は、実施例４の要部断面図であり、（ｂ）は実施例４の変形例の要部断面図である。
【図７】（ａ）は、実施例５の要部断面図であり、（ｂ）は実施例５の変形例の要部断面図である。
【図８】（ａ）は、実施例６の要部断面図であり、（ｂ）は実施例６の変形例の要部断面図である。
【図９】（ａ）は、実施例７の要部断面図であり、（ｂ）は実施例７の変形例の要部断面図である。
【図１０】は、分岐爪に対するストッパの他の例を示す模式図である。
【符号の説明】
【００４５】
１：搬送ローラ
２：分岐爪
３：第２搬送ローラ
４：Ａギア
５：Ｂギア
５ｉ：中間Ｃギア
６ａ：Ａストッパ
６ｂ：Ｂストッパ
１０：搬送路
１０ａ：Ａ方向搬送路
１０ｂ：Ｂ方向搬送路
１０ｇ：ガイド部
１０ｇａ：Ａガイド曲部
１０ｇｂ：Ｂガイド曲部
３２：可動ガイド
３２ｓ：支軸
３３ａ：Ａプーリ
３３ｂ：Ｂプーリ
３４：ベルト
５０：ガイド部
５２：繭型ガイド
６２：ファン
６３：開口部
７２：分岐手段
７２ａ：Ａガイド板
７２ｂ：Ｂガイド板
７３ａ：Ａヒータ
７３ｂ：Ｂヒータ
８２ａ：Ａ風船
８２ｂ：Ｂ風船
８３ａ：Ａヒータ
８３ｂ：Ｂヒータ
９２ａ：Ａ電極
９２ｂ：Ｂ電極
ｍ：駆動モータ
ｐ：コピー紙
ｔ：トルクリミッタ
【図１】
2008230748.tif 000003
【図２】
2008230748.tif 000004
【図３】
2008230748.tif 000005
【図４】
2008230748.tif 000006
【図５】
2008230748.tif 000007
【図６】
2008230748.tif 000008
【図７】
2008230748.tif 000009
【図８】
2008230748.tif 000010
【図９】
2008230748.tif 000011
【図１０】
2008230748.tif 000012